(57)【要約】【課題】高負荷のサーバに対応でき、占有スペースや製造コストを削減して省エネを達成できる。【解決手段】サーバ室用空調システム２は、サーバ室１４とサーバ室１４の下層に設けられていて空調機４Ｂを設置した空調機械室８と空調機械室８の下層に設けられていて空調機４Ａを設置したＵＰＳ室６とを有する三層構造とした。サーバ室１４には多数のサーバ１２を収納したサーバラック１５を配列した。ＵＰＳ室６にはＵＰＳ５を設置し、空調機４Ａから供給される空調空気でＵＰＳ５を冷却して床スラブ７の導入口２８を介して空調機械室８に流入し、更にサーバ室１４に流入してサーバ１２を冷却するカスケード空調を行う。空調機械室８の空調機４Ｂから供給される空調空気は空調機４Ａからの空調空気と一部がミキシングされ、サーバ室１４に供給されてサーバ１２を冷却する。【選択図】図１
2018120275.tif 000002
【特許請求の範囲】
【請求項１】
多数のサーバを収納したサーバラックを設置したサーバ室を対象とするサーバ室用空調システムであって、
前記サーバ室と、
前記サーバ室の下層に設けられていて第一の空調機を設置した第一機械室と、
前記第一機械室の下層に設けられていて第二の空調機を設置した第二機械室と、
を有する三層構造を備え、
前記第一機械室と第二機械室は人が入れる高さ空間を有しており、前記第一の空調機及び第二の空調機から供給する空調空気によって前記サーバ室の空調を行うようにしたことを特徴とするサーバ室用空調システム。
【請求項２】
前記第一機械室は配線と配管が設置された空調機械室であり、
前記第二機械室は無停電電源装置が設置された無停電電源装置室である請求項１に記載されたサーバ室用空調システム。
【請求項３】
前記サーバ室と前記空調機械室と前記無停電電源装置室とは動線がそれぞれ分離されている請求項２に記載されたサーバ室用空調システム。
【請求項４】
前記第二の空調機から供給される空調空気は前記第一の空調機から供給される空調空気より低温に設定されている請求項２または３に記載されたサーバ室用空調システム。
【請求項５】
前記第二の空調機から前記無停電電源装置室へ供給される空調空気は前記空調機械室を介して前記サーバ室へ供給されると共に、前記第一の空調機から空調機械室へ供給される空調空気は前記サーバ室へ供給されるようにした請求項２から４のいずれか１項に記載されたサーバ室用空調システム。
【請求項６】
前記空調機械室には前記サーバ室に設置した特定の前記サーバに対向する位置に別個の空調機を増設した請求項２から５の何れか１項に記載されたサーバ室用空調システム。
【請求項７】
多数のサーバを収納したサーバラックをサーバ室の床面に設置したサーバラック固定構造であって、
前記サーバ室の床面に鉄骨からなる架台が設置され、前記サーバラックは前記架台に支持されて固定されていることを特徴とするサーバラック固定構造。
【請求項８】
前記架台の間にファインフロアまたはグレーチング等の簡易な床パネルが設置されている請求項７に記載されたサーバラック固定構造。
【請求項９】
多数のサーバを収納したサーバラックを設置したサーバ室と、
前記サーバ室の下層に設けられていて第一の空調機を設置した第一機械室と、
前記第一機械室の下層に設けられていて第二の空調機を設置した第二機械室と、
を有する三層構造を備え、
前記第一機械室と第二機械室は人が入れる高さ空間を有しており、
前記サーバ室の床面に鉄骨からなる架台が設置され、前記サーバラックは前記架台に支持されて固定されていることを特徴とするサーバラック固定構造。
【発明の詳細な説明】
【技術分野】
【０００１】
本発明は、データセンターや電算センター等におけるサーバ室用空調システムと、サーバ室の架台に多数のサーバを収納したサーバラックを固定するためのサーバラック固定構造に関する。
【背景技術】
【０００２】
従来、データセンターや電算センターにおけるサーバ室(電算室)の空調構造として例えば特許文献１に記載されたものが提案されている。このサーバ室用空調システムは、サーバ室を通風可能なグレーチング等で上下に区画し、上層のサーバフロアと下層のメカニカルフロアとの２層構造を形成している。サーバフロアには多数のサーバラックを設置しメカニカルフロアにはローカル空調機を設置している。
メカニカルフロアから供給される冷気は、グレーチングを介してサーバフロアに供給されて多数のサーバを冷却し、熱交換した後の還気はサーバ室の側部に設けた主空調機に供給されて冷気に換気してメカニカルフロアに吹き出すことで強制循環している。
【０００３】
また、特許文献２に記載されたサーバ室用空調システムは、上層に多数のサーバを収容したサーバラックを設置したサーバ室を設け、下層に空調機械室及び無停電電源装置室を区画して設置している。空調機械室に設置された空調機から給気を無停電電源装置室に供給して無停電電源装置の発熱を処理し、その後、給気をサーバ室に供給してサーバを冷却するようにしている。
【先行技術文献】
【特許文献】
【０００４】
【特許文献１】特開２０１１−２２０５８７号公報
【特許文献２】特開２０１２−０７８０５６号公報
【発明の概要】
【発明が解決しようとする課題】
【０００５】
しかしながら、上述した特許文献１のようなサーバ室用空調システムは、一般的にサーバ室と別個にＵＰＳ室が形成されているため、空調システムの占有空間が大きくなる上に電源ルートが長くなる問題があった。しかも、空調機の設置台数が多いためにエネルギーのロスが大きくコスト高になる問題を有している。
また、特許文献２に記載されたサーバ室用空調システムは、空調機械室に設置された空調機でサーバ室と無停電電源装置室の空調を兼用しているため、無停電電源装置の発熱を処理することで給気の温度が上昇し、サーバ室に設置したサーバが高負荷である場合に冷却効率が低下するという問題がある。
【０００６】
本発明は、上述した課題に鑑みてなされたものであり、高負荷のサーバに対応できると共に、占有スペースや製造コストを削減して省エネを達成できるようにしたサーバ室用空調システムとサーバラック固定構造を提供することを目的とする。
【課題を解決するための手段】
【０００７】
本発明に係るサーバ室用空調システムは、多数のサーバを収納したサーバラックを設置したサーバ室を対象とするサーバ室用空調システムであって、サーバ室と、サーバ室の下層に設けられていて第一の空調機を設置した第一機械室と、第一機械室の下層に設けられていて第二の空調機を設置した第二機械室とを有する三層構造を備え、第一機械室と第二機械室は人が入れる高さ空間を有しており、第一の空調機及び第二の空調機から供給する空調空気によってサーバ室の空調を行うようにしたことを特徴とする。
本発明によるサーバ室用空調システムは三層構造にしたので全体を省スペース化できる上に、第二の空調機から供給される空調空気は第二機械室に設置された装置を適正温度に調整して第一機械室に供給すると共に、第一の空調機から空調空気を第一機械室に供給し、これらの空調空気を一部ミキシングする等してサーバ室に供給することでサーバを適正温度に調整できる。
【０００８】
また、第一機械室は配線と配管が設置された空調機械室であり、第二機械室は無停電電源装置が設置された無停電電源装置室であることが好ましい。
空調機械室の配線によって無停電電源装置とサーバを導通させることで最短ルートの電源供給を達成でき、また、配管を通る冷却水をサーバに供給することで最短ルートで水冷できる。
【０００９】
また、サーバ室と空調機械室と無停電電源装置室とは動線がそれぞれ分離されていることが好ましい。
サーバ室と空調機械室と無停電電源装置室とを三層に分けることで各動線を分離できるため各フロア毎にメンテナンスを行えて高いセキュリティを達成できる。
【００１０】
また、第二の空調機から供給される空調空気は第一の空調機から供給される空調空気より低温に設定されていてもよい。
第二の空調機の空調空気によって無停電電源装置室の無停電電源装置を温度調整することで空調機械室に流れ込む空調空気の温度が調整され、第一の空調機から供給される空調空気の温度と調和されている。
【００１１】
また、第二の空調機から無停電電源装置室へ供給される空調空気は空調機械室を介してサーバ室へ供給されると共に、第一空調機から空調機械室へ供給される空調空気はサーバ室へ供給されることが好ましい。
第二の空調機の空調空気で無停電電源装置の温度調整を行うことで温度変化し、この空調空気を空調機械室に供給して更にサーバ室のサーバの温度調整を行うカスケード空調方式を採用したため効率的であり、二酸化炭素の排出量や空調機の設置台数を削減できる。しかも、第一の空調機からの空調温度を空調機械室からサーバ室に供給できるため、高負荷なサーバであっても効率的に温度調整できる。
なお、無停電電源装置室と空調機械室を連通する空調空気の導入口が、第二の空調機から無停電電源装置を挟んで対向する位置に形成されていることが好ましい。
【００１２】
また、空調機械室にはサーバ室に設置した特定のサーバに対向する位置に別個の空調機を増設してもよい。
サーバ室に高負荷なサーバが設置されていても空調機械室に別個の空調機を増設することで効率よくサーバの温度調整を行える。
【００１３】
本発明によるサーバラック固定構造は、多数のサーバを収納したサーバラックをサーバ室の床面に設置したサーバラック固定構造であって、サーバ室の床面に鉄骨からなる架台が設置され、サーバラックは架台に支持されて固定されていることを特徴とする。
本発明では多数のサーバを収納したサーバラックを架台で支持できるため、架台間の床パネルではサーバラックの荷重を支持しないため、軽量で簡易な床パネルを設置できる。
そのため、架台の間にファインフロアまたはグレーチング等の簡易な床パネルが設置されていてもよい。
また、本発明によるサーバラック固定構造は、多数のサーバを収納したサーバラックを設置したサーバ室と、前記サーバ室の下層に設けられていて第一の空調機を設置した第一機械室と、前記第一機械室の下層に設けられていて第二の空調機を設置した第二機械室と、を有する三層構造を備え、前記第一機械室と第二機械室は人が入れる高さ空間を有しており、前記サーバ室の床面に鉄骨からなる架台が設置され、前記サーバラックは前記架台に支持されて固定されていることを特徴とする。
【発明の効果】
【００１４】
本発明に係るサーバ室用空調システムによれば、サーバ室と第一機械室と第二機械室を三層で一体に形成したため空調システムの全体スペースを縮小できる。また、第二機械室の第二の空調機からの空調空気を、第一機械室を介してサーバ室に供給するため、カスケード空調によって効率的に空調制御できて空調機の数を削減できる。しかも、サーバ室の下層に第一機械室を介して第二機械室を設置したため、最短ルートの電源供給を実行できる。
【００１５】
また、本発明に係るサーバラック固定構造によれば、サーバ室の床面に所定間隔に配設した鉄骨の架台にサーバラックの荷重を支持させて固定したため、架台間の床面部分にファインフロア等の軽量で簡易な床パネル等を設置できるため低コストである。
【図面の簡単な説明】
【００１６】
【図１】本発明の実施形態による空調システムの概略構造を縦断面で示す説明図である。
【図２】図１に示す空調システムの縦断面図において、空調空気の流れを示す説明図である。
【図３】本発明の第二実施形態による空調システムの要部縦断面図である。
【図４】（ａ）は空調システムにおけるサーバ室のフロア構造を示す要部断面図、（ｂ）は架台に設置した連結部材の固定プレートを示す拡大図である。
【図５】図３におけるサーバラックと架台との連結構造のＡ部拡大断面図である。
【図６】図５に示すサーバラックと架台との連結構造を直交する方向から見た断面図である。
【発明を実施するための形態】
【００１７】
以下、本発明の実施形態によるサーバ室用空調システム(以下、空調システムという)について添付図面に基づいて説明する。
図１及び図２は本発明の実施形態による建物１の空調システム２を示すものである。この建物１の空調システム２は三層構造になっている。最下層の部屋に空調機４と無停電電源装置（以下、ＵＰＳという）５が設置された無停電電源装置室（以下、ＵＰＳ室という）６が設けられている。ＵＰＳ室６の上層には例えば床スラブ７を介して空調機械室８が設置されている。この空調機械室８には、空調機４と配線１０及び配管１１が設置されている。
また、空調機械室８の上層には例えばグレーチング１３等の床面を介してサーバ室１４が設置されている。サーバ室１４内には多数のサーバ１２が収納されたサーバラック１５が複数配列されている。
【００１８】
ＵＰＳ室６にはサーバ１２の電源を無停電化するためのＵＰＳ５が設置されている。サーバ１２は配線１０を介してＵＰＳ５に接続されている。このＵＰＳ５にはバッテリが搭載されており、停電などが発生してもサーバ１２の電源を切断することなく電源ＯＮ状態を保持することができる。そのため、不測の事態が発生したとしてもサーバ１２がダウンすることはなく、サーバ電源の信頼性を確保できる。
そのため、本実施形態による空調システム２は上下方向にＵＰＳ室６と空調機械室８とサーバ室１４を積層させた３層構造からなるトリプル空調システムを構成する。
【００１９】
サーバラック１５の上方に開口１７ａを有する天井面１７が設置され、天井面１７とサーバ室１４の天井１４ａとの間の空間には暖気とされた空調空気が流れ込んで還気するための天井空間１８が設置されている。
サーバ室１４の天井１４ａには建物１の外気に排気する排気ダクト２０が設置され、天井空間１８内に流入した空調空気の一部を外気に排気可能である。建物１の屋根部分には外気を取り込んで暖気を冷却するための吸気ダクト２１が設置されている。
なお、サーバ室１４におけるサーバラック１５の上方に天井面１７を設置しなくてもよい。この場合には、サーバラック１５の上面とサーバ室１４の天井１４ａとの間の空間が天井空間１８となる。天井空間１８では、サーバ１２を冷却して温度上昇した空調空気の一部が排気ダクト２０から外気に排出され、残りの空調空気は後述する給気回収路２５に送られる。
【００２０】
なお、空調システム２内を流れる空調空気は一部を排気したり外気を取り込んだりしなくてもよく、空調機４から供給される空調空気を閉ループで循環させる循環空調を行ってもよい。
また、空調システム２において、ＵＰＳ５とサーバ１２は起動状態で発熱し、特にサーバ１２はＵＰＳ５よりも高温に発熱する。高温状態が継続すると機器の故障につながるため、ＵＰＳ５及びサーバ１２は適正温度に保持するために冷却が必要である。
【００２１】
図１及び図２に示す空調システム２において、ＵＰＳ室６と空調機械室８の一側部は仕切り壁２４ａと仕切り壁２４ｂで仕切られた給気回収路２５が形成されている。この給気回収路２５は吸気ダクト２１と連通していて外気を取り込み可能であり、更に仕切り壁２４ｂの開口を通して天井空間１８に連通していて温度が上昇した暖気の空調空気が流入するようになっている。
そして、給気回収路２５におけるＵＰＳ室６との仕切り壁２４ａには、ＵＰＳ室６内に冷気からなる空調空気を吐出する空調機４(以下、空調機４Ａという)が仕切り壁２４ａに沿って所定台数設置され、吹出し口がＵＰＳ室６内に開口している。同様に、給気回収路２５における空調機械室８との仕切り壁２４ｂには、空調機械室８内に冷気からなる空調空気を吐出する空調機４(以下、空調機４Ｂという)が仕切り壁２４ｂに沿って所定台数設置され、吹出し口が空調機械室８内に開口している。
【００２２】
ＵＰＳ室６内の空調機４Ａで設定される空調空気の温度は空調機械室８内の空調機４Ｂで設定される空調空気の温度より低く設定されているが、同程度の温度でもよい。空調機４Ａの空調空気の設定温度は例えば１６℃とされ、空調機４Ｂの空調空気の設定温度は例えば１８℃とされている。ＵＰＳ室６内の空調機４Ａから供給される給気はＵＰＳ５を通過して冷却することで熱交換によって温度上昇し、空調機４Ｂの空調空気と同程度の温度１８℃になって空調機械室８内に送られる。
【００２３】
また、ＵＰＳ室６において、ＵＰＳ５を挟んで空調機４Ａに対向する反対側には床スラブ７に導入口２８が形成され、ＵＰＳ５を冷却した空調空気は導入口２８を通して空調機械室８に供給される。空調機械室８内に設置された配管１１は冷却水が流れており、サーバ１２が例えば水冷サーバである場合に冷却水によって冷却させられる。或いは、サーバ１２は低温の空調空気によって冷却される空冷タイプでもよい。配線１０は例えばサーバ１２の直下に配設されていてＵＰＳ５と電気的に接続している。空調機械室８内の配線１０は水漏れの影響を防ぐために配管１１の上部に配設することが好ましい。
なお、空調機械室の床スラブ７に冷却水が流れる配管１１を配設したことで、床スラブ７を防水フロアとした。そして、ＵＰＳ５とサーバ１２を接続する配線１０は床スラブ７に貫通孔を形成して挿通させればよい。
【００２４】
空調機械室８内では、ＵＰＳ室６内の空調機４Ａから供給された空調空気がＵＰＳ５を通って冷却させ、更に導入口２８を介して空調機械室８内に送られ、空調機４Ｂから供給される空調空気と少なくとも一部の空調空気が互いにミキシングされる。そして、これらの空調空気はグレーチング１３の穴を介してサーバ室１４内に送られ、多数のサーバ１２を冷却することになる。そのため、ＵＰＳ室６内でＵＰＳ５を冷却する空調機４Ａの空調空気を空調機械室８内に供給することで、空調機械室８内の空調機４Ｂの空調空気と共にサーバ室１４に供給してサーバ１２の冷却に用いることができ、空調機４の数を削減して効率的な冷却を行える。
【００２５】
また、ＵＰＳ室６と空調機械室８とサーバ室１４はそれぞれ作業者が立ち入って歩行やメンテナンス作業等ができる程度の空間高さに設定されていることが好ましい。しかも、ＵＰＳ室６と空調機械室８とサーバ室１４をフロアごとに区画したので、動線がそれぞれ分離されている。即ち、サーバ室１４はＩＴエンジニア等が立ち入ってメンテナンス等の作業を行える。一方、空調機械室８やＵＰＳ室６等では設備エンジニア等が立ち入ってメンテナンス等の作業を行える。
本実施形態による空調システム２では、ＩＴエンジニアと設備エンジニアの作業エリアを明確に区別することができ、ＵＰＳ室６と空調機械室８とサーバ室１４とで作業エリアを区画したためメンテナンス性と高いセキュリティを確保できる。
【００２６】
なお、サーバ室１４では、多数のサーバ１２を収納したサーバラック１５の列が所定間隔で複数列配列された公知の配列構造に設置されている。サーバ室１４におけるサーバラック１５の具体的な配列の一例は図３に示されている。図３において、サーバラック１５の列を挟んで交互に形成された空間はコールドアイル３２とホットアイル３３を構成している。そのため、空調機械室８からグレーチング１３の穴を介してサーバ室１４内に供給された空調空気は冷気としてコールドアイル３２に供給され、サーバラック１５内のサーバ１２を冷却して熱交換される。サーバラック１５を冷却して暖気となった空調空気はサーバラック１５を挟む反対側の空間であるホットアイル３３に排気される。
【００２７】
この暖気はサーバラック１５と天井面１７との間の空間から天井面１７に形成した開口１７ａを通して天井空間１８内に流入し、その一部は排気ダクト２０を通して外気に排出され、残りの暖気は仕切り壁２４ｂに形成した開口を通して給気回収路２５に送られる。この暖気は給気回収路２５内で吸気ダクト２１から流入する外気と混合して冷却され、更にＵＰＳ室６の空調機４Ａと空調機械室８の空調機４Ｂに供給されて所定の温度に調整されてＵＰＳ室６と空調機械室８とに再度吹き出される。
図１において、サーバ室１４に設置されたサーバ１２の一部が高負荷サーバ１２を収納した高負荷のサーバラック１５Ａである場合、この高負荷のサーバラック１５Ａに対向する階下の空調機械室８内で床スラブ７上に追加の空調機４Ｃを増設することができる。この場合、高負荷のサーバラック１５Ａに対して階下の追加の空調機４Ｃによってグレーチング１３を介して直接冷気を送風して冷却することで冷却効率を向上できる。
【００２８】
本実施形態による空調システム２は上述した構成を備えており、次に空調方法について図２により説明する。外気を取り入れてサーバ１２の冷却を行う場合、建物１の吸気ダクト２１から冷涼な外気を給気回収路２５に取り込み、後述するサーバ１２を冷却した後の暖気である空調空気をサーバ室１４の天井空間１８から給気回収路２５に流入させて外気とミキシングさせる。これによって暖気が外気によって冷却され、給気回収路２５を下方に流れる。給気回収路２５の最下部に設けた空調機４Ａで温度調整された低温の空調空気は吹出し口からＵＰＳ室６内に供給され、ＵＰＳ５を冷却する。ＵＰＳ５で熱交換する熱量は比較的小さいため、空調機４Ａで設定された空調空気の温度を例えば１６℃とすると、ＵＰＳ５を冷却することで１８℃程度の冷気になる。
【００２９】
この空調空気はＵＰＳ室６内の空調機４Ａと対向する位置に設けた導入口２８を通って空調機械室８内に流入する。空調機械室８では給気回収路２５に設けた空調機４Ｂから吹き出される低温の空調空気の温度が例えば１８℃であるため、一部は空調機４Ａの空調空気と混合させられる。そして、これらの空調空気はグレーチング１３を介してサーバ室１４内に供給され、コールドアイル３２の空間を経由してサーバラック１５に収納された多くのサーバ１２を冷却する。
そしてサーバラック１５を通過した空調空気は熱交換して暖気となり、ホットアイル３３である反対側の空間に排出されて天井面１７の開口を通して天井空間１８に送られ、その多くは循環空気として給気回収路２５に供給される。また、一部の余剰の暖気は排気ダクト２０を通して外気に放出される。
【００３０】
本実施形態による空調システム２では、ＵＰＳ室６の仕切り壁２４ａに設置された空調機４Ａから供給される冷気としての空調空気はＵＰＳ５を冷却して階上の空調機械室８に供給され、更にグレーチング１３の穴を介してサーバ室１４に送られてサーバ１２を冷却する。そのため、段階的にＵＰＳ５やサーバ１２を冷却するカスケード空調を行うことができて空調機４Ａを兼用して空調機４の数を削減できる。
しかも、空調機械室８の仕切り壁２４ｂに設置した空調機４Ｂから供給される冷気としての空調空気もグレーチング１３の穴を介してサーバ室１４に送られてサーバ１２を直接冷却する。これによって、冷気の空調空気を分散供給することができて、高負荷なサーバ１２であっても効率的且つ確実に冷却処理できる。
【００３１】
なお、本実施形態の空調システム２において、空調空気を外気に放出したり外気を取り込んだりしなくてもよく、空調システム２内で閉鎖ループによる循環空調を行うようにしてもよい。
この場合、サーバ室１４で多数のサーバ１２を冷却して熱交換した空調空気である暖気を外気に放出することなく、天井空間１８から給気回収路２５で回収してＵＰＳ室６の空調機４Ａと空調機械室８の空調機４Ｂに循環させる。
このような循環空調とすることで抵抗の少ない空調空気の流れを形成できるため、空調機４Ａや空調機４Ｂにおける搬送動力を低減することができる。
【００３２】
上述のように本実施形態による空調システム２によれば、サーバ室１４と空調機械室８とＵＰＳ室６を三層に積層した一体システムであるため、全体のスペースを縮小させることができる。また、サーバ室１４の下層に配線１０と配管１１を設置して更にその下層のＵＰＳ５に接続したため、電源供給ルートを最短に設定できて効率的である。
しかも、サーバ１２として一部に他より高負荷のサーバ１２を設置した場合でも、階下の空調機械室８の床スラブ７上に追加の空調機４Ｃを増設できるため、柔軟に対応できる。また、サーバ１２として将来的にスーパーコンピュータ等を設置した場合でも階下の配管１１を接続して効率的に水冷することができる。
【００３３】
しかも、ＵＰＳ室６に設置した空調機４Ａからの冷気でＵＰＳ５を冷却した後、階上の空調機械室８に供給して更にサーバ室１４内のサーバ１２を冷却するカスケード空調方式を採用したため冷却処理が効率的で二酸化炭素の排出量を削減した省エネ制御ができ、空調機４の設置台数を削減できる。また、空調機械室８にも空調機４Ｂを設置してサーバ１２を効率的に冷却できるため、冷気の空調空気を分散供給できて、高負荷なサーバ１２であっても効率的に冷却できる。
【００３４】
なお、本発明による空調システム２は、上述の実施形態に限定されるものではなく、その要旨を逸脱しない範囲で種々の変更や置換等が可能であり、これらの場合も本発明の技術的範囲に含まれる。以下に本発明の他の実施形態や変形例について上述した実施形態と同一または同様な部分、部材には同一の符号を用いて説明する。
【００３５】
次に上述した実施形態による空調システム２において、サーバ室１４の床面３０における多数のサーバ１２を収納したサーバラック１５の設置構造をサーバラック固定構造として、図３から図６により別の実施形態として説明する。
図３は図１に示す空調システム２におけるサーバ室１４の要部構成を示す図であり、格子状に組んだ根太２９の上部に床面３０が設置されている。床面３０上に例えば多数の高負荷のサーバ１２を収納したサーバラック１５が複数配列されており、サーバラック１５の列の間に空間が形成されている。この空間はグレーチング１３の穴から冷気の空調空気が供給されるコールドアイル３２とサーバラック１５を通過して熱交換した暖気の空調空気が排出されるホットアイル３３とがサーバラック１５を挟んで交互に形成されている。なお、ホットアイル３３の両側のサーバラック１５の上部には天井面１７から仕切壁面３４が垂下しており、ホットアイル３３をコールドアイル３２と仕切っている。
【００３６】
次に、サーバラック１５の支持構造について図４乃至図６により説明する。
図４はサーバ室１４の床面３０を示すものであり、床面３０は格子状に配設された根太２９の上部に鉄骨からなる複数本、例えば３本の架台３５が平行に延びるレール部として所定間隔で設置されている。これらの架台３５は架台３５ａ、３５ｂ、３５ｃであり、架台３５ａと３５ｂの間隔が比較的広く、架台３５ｂと架台３５ｃの間隔が狭く設定されている。
架台３５はサーバラック１５を支持するものであり、３本のうちの２本の架台３５でサーバラック１５を固定支持している。図５に示すように、本実施形態では架台３５ａと隣接する架台３５ｂとでサーバラック１５の下面を固定しているが、サーバラック１５の長さが比較的大きい場合には架台３５ａと架台３５ｃとでサーバラック１５の下面を固定することができる。なお、サーバラック１５の下面には走行用の車輪が設置されている。
【００３７】
サーバラック１５は平面視で例えば四角形状をなしており、その四隅の下面において２本の架台３５ａ、３５ｂに所定間隔で設けた連結部材３６によってサーバラック１５を固定している。一方の架台３５ａでサーバラック１５の２つの角部が連結部材３６で固定され、他方の架台３５ｂでサーバラック１５の他の２つの角部が連結部材３６で固定されている。
図５及び図６は根太２９に取り付けた架台３５とサーバラック１５とを連結部材３６で固定する連結構造を示すものである。図５は図３のＡ部拡大図であり、図６は図５に示す連結構造を直交する方向から見た図である。
【００３８】
図５及び図６に示す連結部材３６において、３本の架台３５は同一構成を有している。架台３５は断面略四角形筒状を有しており、その上面には断面略コの字状をなす一対のレール部３８，３８が隙間を開けて並列に形成されている。架台３５の上部に固定プレート３９が設置され、固定プレート３９とレール部３８、３８を挟む下側に設置した下部プレート４０とを２本の固定ボルト４１によって下方から締め込み固定している。固定ボルト４１は下方からレール部３８、３８の間の空間を挿通して固定プレート３９上のナット４２で締め込んでいる。
２本の固定ボルト４１の間にブラケット４３を固定するための無頭の締め付けボルト４６が固定プレート３９に捩じ込まれ、この締め付けボルト４６にナット４２が締め込まれている。
【００３９】
また、締め付けボルト４６のナット４２と固定プレート３９との間に略Ｌ字型板状のブラケット４３の固定片４３ａが固定されている。ブラケット４３の起立片４３ｂには長穴４４が形成されており、この長穴４４を通して他の固定ボルト４５を挿通してサーバラック１５の下面に設けた適宜の支柱４７の側面に位置調整可能に締め込み固定する。
なお、１本の架台３５にサーバラック１５の下面の２カ所の支柱４７を連結部材３６で固定し、２本の架台３５ａ、３５ｂでサーバラック１５の下面の４カ所の角部と連結部材３６によって固定する。
【００４０】
各架台３５ａ、３５ｂ、３５ｃのレール部３８，３８の長手方向には所定間隔で連結部材３６が設置され、その固定プレート３９に２本の固定ボルト４１及びナット４２が固定されている。これら２本の固定ボルト４１のナット４２を緩めることで連結部材３６を架台３５のレール部３８，３８に沿って移動でき、位置調整可能とされている。
そして、図５に示すように、２本の架台３５ａ、３５ｂにサーバラック１５が固定された状態で、架台３５ａ、３５ｂの間には例えば網目がなく軽量で薄層の簡易な床パネル４８としてファインフロアが設置されている。また、架台３５ａ、３５ｂに固定したサーバラック１５の一方側の空間がコールドアイル３２である場合には、その床面３０は空調空気を通過させるために例えば網目を有するグレーチング１３が設置され、他方側の空間がホットアイル３３である場合にはその床面３０に簡易な床パネル４８が設置されている。
【００４１】
従来、サーバ室１４の床面３０としてのフリーアクセスフロアは支柱を設置してサーバラック１５を直接ボルト止めし、床面３０には６０００Ｎ対応といった高強度のパネルが設置されていたため、コストが高くサーバラック１５の設置に手間がかかっていた。
これに対して本実施形態では、サーバラック１５の荷重は鉄骨からなる架台３５ａ、３５ｂで受ける構造であるため、その他の領域では荷重がかからないのでグレーチング１３以外の床面３０に簡易な床パネル４８等を設置できる。そのため、サーバ室１４の床面３０のコストが低廉になり、設置が容易である。しかも、通常、フリーアクセスフロアで床面３０を構成するところ、鉄骨製の架台３５で組むことによって地震時の揺れの増幅を低減できるため、サーバラック１５を設置した床面３０の水平加速度を抑えることができる。
【００４２】
なお、上述した実施形態では、サーバラック１５と架台３５の連結部材３６としてブラケット４３、固定プレート３９及び下部プレート４０、締め付けボルト４６及びナット４２、そして他の固定ボルト４５を用いたが、連結部材３６はこのような構成に限定されるものではなく、係合構造や嵌合構造の各部材や、溶接等適宜の連結部材３６を採用できる。
また、サーバラック１５を固定する架台３５は必ずしも３本設置する必要はなく、サーバラック１５の寸法が予め決定されている場合等には２本の架台３５が設置されていればよい。なお、本発明において、空調機械室８の空調機４Ｂは第一の空調機であり、ＵＰＳ室６の空調機４Ａは第二の空調機である。
【符号の説明】
【００４３】
２  空調システム
４、４Ａ、４Ｂ  空調機
５  無停電電源装置（ＵＰＳ）
６  無停電電源装置室（ＵＰＳ室）
７  床スラブ
８  空調機械室
１１  配管
１２  サーバ
１３  グレーチング
１４  サーバ室
１５  サーバラック
２５  給気回収路
２８  導入口
３５，３５ａ、３５ｂ、３５ｃ  架台
３６  連結部材
３９  固定プレート
４０  下部プレート
４１  固定ボルト
４２  ナット
４３  ブラケット
４６  締め付けボルト
【図１】
2018120275.tif 000003
【図２】
2018120275.tif 000004
【図３】
2018120275.tif 000005
【図４】
2018120275.tif 000006
【図５】
2018120275.tif 000007
【図６】
2018120275.tif 000008